(57)【要約】【課題】装置全体として表示に係るデータ量を少なくすることができるような設備管理装置等を得る。【解決手段】設備の管理するための表示手段５を有する設備管理装置において、画像及び／又は文字のフォントに係るデータがデータ圧縮された圧縮データを記憶する圧縮データ記憶手段２と、圧縮データ記憶手段２に記憶されている圧縮データを読み出して、表示手段５に表示させるための表示用データの生成処理を行う表示用データ生成手段３と、表示用データの処理に係る表示用データを記憶する処理用データ記憶手段４と、表示用データ生成手段３が生成処理を行う圧縮データを決定する制御手段１とを備え、制御手段１は、装置起動時に、処理用データ記憶手段４において表示用データの記憶のために確保されたすべての記憶容量分の表示用画像データを表示用データ生成手段３に生成させる。【選択図】図１
2010113156.tif 000002
【特許請求の範囲】
【請求項１】
設備管理に基づく表示を行う表示手段を有する設備管理装置において、
画像及び／又は文字のフォントに係るデータがデータ圧縮された圧縮データを記憶する圧縮データ記憶手段と、
前記圧縮データ記憶手段に記憶されている前記圧縮データを読み出して、前記表示手段に表示させるための表示用データの生成処理を行う表示用データ生成手段と、
前記表示用データの処理に係る前記表示用データを記憶する処理用データ記憶手段と、
前記表示用データ生成手段が生成処理を行う圧縮データを決定する制御手段とを備え、
前記制御手段は、装置起動時に、前記処理用データ記憶手段において表示用データの記憶のために確保されたすべての記憶容量分の表示用データを前記表示用データ生成手段に生成させることを特徴とする設備管理装置。
【請求項２】
装置に対して行われる操作に対応して遷移する画面の順序に係るデータを少なくとも有する画面遷移データを記憶する画面遷移データ記憶手段をさらに備え、
前記制御手段は、前記画面遷移データに基づいて、遷移先となり得る画面を予測処理し、前記遷移先となり得る画面に表示する画像及び／又はフォントに係る前記圧縮データを決定することを特徴とする請求項１記載の設備管理装置。
【請求項３】
装置に対して行われた操作の履歴に係る操作履歴データを記憶する操作履歴データ記憶手段をさらに備え、
前記制御手段は、前記操作履歴データに基づいて、遷移先となり得る画面を予測処理し、前記遷移先となり得る画面に表示する画像及び／又はフォントに係る前記圧縮データを決定することを特徴とする請求項１又は２記載の設備管理装置。
【請求項４】
前記表示用データ生成手段は、生成処理を行おうとする画像又はフォントに係る表示用データが処理用データ記憶手段に記憶されていると判断すると、生成処理を行わないことを特徴とする請求項１〜３のいずれかに記載の設備管理装置。
【請求項５】
前記処理用データ記憶手段における前記表示用データのための記憶容量をあらかじめ定めておくことを特徴とする請求項１〜４のいずれかに記載の設備管理装置。
【請求項６】
前記制御手段は、前記制御手段が行う各種処理に係る記憶容量と該記憶容量に対する処理の速度との関係に基づいて、前記処理用データ記憶手段における前記表示用データのための記憶容量を決定することを特徴とする請求項１〜４のいずれかに記載の設備管理装置。
【請求項７】
前記制御手段は、操作に基づいて遷移した画面及び前記画面遷移データに基づいて、前記遷移した画面から、遷移先となり得る画面をさらに予測処理して、画像及び／又はフォントに係る前記圧縮データを決定することを特徴とする請求項２〜６のいずれかに記載の設備管理装置。
【請求項８】
前記制御手段は、操作に基づいて遷移した画面及び前記操作履歴データに基づいて、前記遷移した画面から、遷移先となり得る画面をさらに予測処理して、画像及び／又はフォントに係る前記圧縮データを決定することを特徴とする請求項３〜６のいずれかに記載の設備管理装置。
【請求項９】
請求項１〜８のいずれかに記載の設備管理装置との間でデータの授受を行う設備管理支援装置において、
前記圧縮データ記憶手段に記憶させる圧縮データを生成処理するサブセット生成手段と、
前記圧縮データを記憶する設備管理支援側圧縮データ記憶手段と
を備えることを特徴とする設備管理支援装置。
【請求項１０】
前記設備管理支援側圧縮データ記憶手段に記憶されている前記圧縮データに基づいて、前記表示用データを生成処理を行う設備管理支援側表示用データ生成手段を備え、
前記設備管理支援側表示用データ生成手段が生成した前記表示用データを含む信号を前記設備管理装置に送信可能であることを特徴とする請求項９記載の設備管理支援装置。
【請求項１１】
設備の管理を行うための表示手段を有する設備管理装置において、圧縮された画像及び／又は文字のフォントに係る圧縮データを記憶する圧縮データ記憶手段から前記圧縮データを読み出し、読み出した前記圧縮データに基づいて、前記表示手段に表示させるための表示用データを生成処理する工程と、
生成処理した前記表示用データを処理用データ記憶手段に記憶させる工程と
を有し、
装置起動時に、前記表示用データの記憶のために確保されたすべての記憶容量分を記憶させるまで、表示用データの生成処理工程と記憶工程とを繰り返すことを特徴とする設備管理装置の表示制御方法。
【発明の詳細な説明】
【技術分野】
【０００１】
本発明は、ビル等の設備の管理を行う、管理の支援を行うための設備管理装置に関するものである。特に設備管理の際に、使用者に情報提供等をするために表示手段に表示する画像、文字（ここでは数字、記号等を含めて文字とする）等の表示に係るデータの記憶、処理等に関するものである。
【背景技術】
【０００２】
例えば、ビル等の建築物内において、各部屋等にある空気調和、照明等の設備機器の稼働状況等の監視、管理、プラント設備のプロセス監視等を集中して行うために設備管理装置を設けている。このような設備管理装置において、使用者（ユーザ、管理者等）に稼働状況を知らせる、入力された指示への対応を示す等のために、画像、文字を表示手段の表示画面に表示する（例えば、特許文献１参照）。
【特許文献１】特開２００４−３３４３６０号公報
【発明の開示】
【発明が解決しようとする課題】
【０００３】
設備管理装置は、画像、文字等を表示画面に表示させるために、表示に必要な画像データ、文字データを記憶手段に記憶し、処理を行って表示させている。ここで、使用者に設備管理装置から多くの情報を提供するには、様々な画像、文字等の表示を行えるようにすればよいが、表示しようとする画像、文字等が増えるほど、表示に必要なデータ量が多くなる。そのための記憶容量を記憶手段に用意しておく必要がある。このため、表示に関するコスト等も増えることになる。
【０００４】
本発明は、このような状況に鑑みてなされたものであり、装置全体として表示に係るデータ量を少なくすることができるような設備管理装置等を得ることを目的とする。
【課題を解決するための手段】
【０００５】
本発明に係る設備管理装置は、設備管理に基づく表示を行う表示手段を有する設備管理装置において、画像及び／又は文字のフォントに係るデータがデータ圧縮された圧縮データを記憶する圧縮データ記憶手段と、圧縮データ記憶手段に記憶されている圧縮データを読み出して、表示手段に表示させるための表示用データの生成処理を行う表示用データ生成手段と、表示用データの処理に係る表示用データを記憶する処理用データ記憶手段と、表示用データ手段が生成処理を行う圧縮データを決定する制御手段とを備え、制御手段は、装置起動時に、処理用データ記憶手段において表示用データの記憶のために確保されたすべての記憶容量分の表示用データを表示用データ生成手段に生成させる。
【発明の効果】
【０００６】
本発明によれば、装置起動時に、圧縮データ記憶手段に記憶された圧縮データに対して、表示用データ生成手段が生成処理を行い、表示用データ記憶のためのすべての記憶容量分の表示用データを処理用データ記憶手段に先行するかたちで記憶させるようにしたので、圧縮データを伸張することにより生じる表示までの処理時間の遅れを補完しつつ、装置全体として、画像、フォントの表示に係る記憶容量の削減を図ることができ、コスト削減を図ることができる。
【発明を実施するための最良の形態】
【０００７】
実施の形態１．
図１は本発明の実施の形態１に係る設備管理装置の構成を表すブロック図である。図１において、圧縮データ記憶手段２は、データ圧縮処理により、例えばデータ量が少なくなっている文字のデータ（同じ文字でもフォント毎にデータが異なるため、以下、文字をフォント単位で扱うものとして圧縮フォントデータという。ただ、本実施の形態では、１種類のフォントを用いるものとする）を記憶する圧縮フォントデータ記憶手段２Ａとデータ量が少なくなっている画像データ（以下、圧縮画像データという）を記憶する圧縮画像データ記憶手段２Ｂとを有している。そのため、圧縮データ記憶手段２ではフォント、画像数に対する記憶容量を少なくすることができる。逆に同じ記憶容量に対するフォント数、画像数を多くすることができる（以下、圧縮フォントデータ、圧縮画像データを区別しない場合には圧縮データという）。本実施の形態では、圧縮データ記憶手段２を、例えばＥＰＲＯＭ（Erasable Programmable Read Only Memory）、ＥＥＰＲＯＭ（Electrically Erasable Programmable Read Only Memory ）等のＲＯＭで構成することにより、記憶に係る圧縮フォントデータ、圧縮画像データの内容を変更できるものとする。また、圧縮フォントデータについては、例えば、日本語の文字についてはＪＩＳ（ISO-2022-JP）、欧州の言語についてはＵＴＦ−８、中国語についてはＧＢ１８０３０等、コード番号が連続して並んでいる文字コードを用いるようにして、圧縮フォントデータ記憶手段２Ａにおけるデータ読み出しをはやく行えるようにする。
【０００８】
また、本実施の形態の表示用データ生成手段３は、フォント伸張・展開手段３Ａと画像伸張手段３Ｂとを有している。フォント伸張・展開手段３Ａは、圧縮フォントデータに対して伸張処理、展開処理を行って、フォントを画像として表示するためのデータ（以下、表示用フォントデータという）を生成する。また、画像伸張手段３Ｂは、圧縮画像データに伸張処理を行って、画像を表示するためのデータ（以下、表示用データという）を生成する。ここで、以下、特に表示用フォントデータ、表示用データを区別しない場合には表示用データという。また、フォント伸張・展開手段３Ａ及び画像伸張手段３Ｂは、処理を行ったフォント、重複して処理しないように画像を管理する。これにより、処理時間の短縮、処理用データ記憶手段４に記憶させる表示用データの量を減らすようにする。
【０００９】
処理用データ記憶手段４は、表示用データ生成手段３のフォント伸張・展開手段３Ａ、画像伸張手段３Ｂが、処理を行う際に必要となる圧縮データ、処理を行って生成した表示用データ等を一時的に記憶する。本実施の形態では、処理用データ記憶手段４を、ＤＲＡＭ（Dynamic Random Access Memory）、ＳＲＡＭ（Static Random Access Memory ）等のＲＡＭで構成する。
【００１０】
表示処理手段７は、処理用データ記憶手段４に記憶された表示用データ等を画面の所定の位置に重畳処理させる等の処理を行い、画面全体を描画表示するための画面用データを生成する手段である。表示手段５は、表示処理手段７が生成した画面用データ等を含む表示信号に基づいた表示を行う。
【００１１】
制御手段１は設備管理装置の各手段を制御する処理を行う。本実施の形態では、特に画面表示との関係における処理について、使用者の操作によって遷移する画面の順序等がデータ化された画面遷移データに基づいて、必要となるフォント、画像を予測し、決定する予測処理を行う。そして、予測処理により予測したフォントに係る圧縮フォントデータをフォント伸張・展開手段３Ａに伸張・展開処理を行わせ、予測した画像に係る圧縮画像データを画像伸張手段３Ｂに伸張処理を行わせる処理を行う。画面遷移データ記憶手段６は、制御手段１が予測処理を行うための画面遷移データを記憶する。また、外部の装置との間で通信を行うためのインターフェースとなる取扱手段８を有している。また、使用者が入力した操作内容に係る信号を制御手段１に送信する入力手段９を有している。
【００１２】
次に本実施の形態における設備画面表示までの流れについて説明する。本実施の形態では、フォント伸張・展開手段３Ａが圧縮フォントデータを伸張・展開処理を行い、画像伸張手段３Ｂが圧縮画像データを伸張処理するため、表示用データの生成までの処理が遅くなる。そのため、次に表示する画面が決定してから圧縮データを決定し、処理を行っていると表示手段５に表示させるまでの処理が遅くなる。例えば、設備は操作に基づく動作を終了させているにもかかわらず、次の画面表示が遅れる等、設備の動作と画面表示とが連動しなくなると、使用者に不快感を与えることになる。
【００１３】
そこで、本実施の形態では、まず、装置起動時（再起動等も含む）において、制御手段１は、フォント伸張・展開手段３Ａ、画像伸張手段３Ｂに表示用データの生成処理を行わせる。そして、処理用データ記憶手段４に表示用データの記憶のために確保された（割りあてることができる）すべての記憶容量分の表示用データを記憶させておくようにする。ここで、処理用データ記憶手段４が、設備管理装置におけるアプリケーションの実行処理等、他の処理に係るデータを記憶するためにも用いられる場合には、表示用データ記憶のために確保する記憶容量は増減することになるが、増減した記憶容量の中で表示用データを記憶させるものとする。
【００１４】
ここで、表示用データを生成し、記憶させておく画像、フォントの決定について説明する。基本的に処理用データ記憶手段４の記憶容量は限られており、圧縮データ記憶手段２に記憶されたすべての圧縮データに係る表示用データを生成して記憶させておくのは無理であり、また、記憶手段の記憶容量の削減にも寄与できなくなる。そこで、制御手段１は必要と考えられるフォント、画像を予測処理により決定し、決定したフォント、画像に係る圧縮データについて、フォント伸張・展開手段３Ａ、画像伸張手段３Ｂに処理させるようにする。
【００１５】
例えば、設備管理装置等は、使用者の操作指示に対して応答のための表示を変更していくような対話型の装置であることが多い。このような装置の場合、使用者の操作（指示）に応じて、次に表示させる画面があらかじめ定まっていることが多く、表示する画面、木構造で階層的に表した表示順序等のデータを画面遷移データとして記憶している。そのため、画面遷移データに基づけば、後に表示するかもしれない画面を予測することができ、その画面に表示するフォント、画像を予測することができる。したがって、予測したフォント、画像に係る圧縮データに対して処理を行っておき、先行するかたちで表示用データを生成し、処理用データ記憶手段４に記憶させておくことができる。
【００１６】
そして、使用者の操作が続けられて画面が遷移して表示が終了した等により、用いる可能性がほぼなくなったフォント、画像の表示用データの代わりに、遷移した画面と画面遷移データに基づいて予測処理により新たに遷移先となり得る画面を予測する。そして、予測した画面に用いるフォント、画像に係る圧縮データの処理を行い、表示用データを記憶させるようにして、逐次、表示用データを置き換えるようにする。
【００１７】
図２は制御手段１の処理に係るフローチャートを表す図である。以上の設備画面表示までの流れを順に説明する。設備管理装置が起動すると（Ｓ１）、制御手段１は、画面遷移データ記憶手段６が記憶する画面遷移データに基づいて予測処理を行い、必要と考えられるフォント、画像を決定する（Ｓ２）。フォント伸張・展開手段３Ａ、画像伸張手段３Ｂに決定したフォント、画像に係る表示用データを生成させて処理用データ記憶手段４に記憶させる（Ｓ３）。そして、処理用データ記憶手段４における記憶容量を判断し、さらに表示用データが記憶可能であるかどうかを判断する（Ｓ４）。さらに記憶可能であると判断するとＳ２に戻って予測処理を行う。
【００１８】
表示用データの記憶ができないと判断すると、入力手段１からの使用者の操作に係る信号による画面遷移を行うかどうかの判断を行う（Ｓ５）。そして、使用者からの操作により画面遷移を行うものと判断すると、画面を遷移させる（Ｓ６）。そして、Ｓ２に戻って遷移した画面と画面遷移データとに基づいて予測処理を行って、必要のない表示用データに新たな表示用データを処理用データ記憶手段４に記憶させる（置き換える）。ここで、制御手段１が置き換える表示用データを決定するために、ＦＩＦＯ、ＬＲＵ（Least Recently Used）、ＮＲＵ（Not Recently Used）等のアルゴリズムを用いることができる。
【００１９】
以上のように実施の形態１の設備管理装置によれば、装置起動時に、圧縮データ記憶手段２に記憶された圧縮データに対して、フォント伸張・展開手段３Ａ、画像伸張手段３Ｂが生成処理を行い、表示用データ記憶のためのすべての記憶容量分の表示用データを処理用データ記憶手段４に先行するかたちで記憶させるようにしたので、圧縮データを伸張することにより生じる表示までの処理時間の遅れを補完しつつ、装置全体として、画像、フォントの表示に係る記憶容量の削減を図ることができる。そのため、コスト削減を図ることができる。
【００２０】
また、制御手段１が画面遷移データに基づいて予測処理を行うことにより、必要となる画像、フォントを決定して、そのフォント、画像に係る圧縮データをフォント伸張・展開手段３Ａ、画像伸張手段３Ｂに生成処理させるようにしたので、遷移先の画面の予測を高精度に行うことができ、その画面で必要となる画像、フォントの決定を精度高く行うことができ、処理時間の遅れを補完することができる。そして、遷移した画面、予測処理を行っていくことにより、画面表示に先行するかたちで表示用データを生成し、処理用データ記憶手段４に記憶させておくようにしたので、圧縮データの伸張に係る処理時間の遅れを常に補完することができる。
【００２１】
このとき、フォント伸張・展開手段３Ａ、画像伸張手段３Ｂは、生成処理した表示用データの管理を行うことにより、すでに処理用データ記憶手段４に記憶した表示用データに係る圧縮データについては生成処理を行わないようにしたので、無駄な処理に時間を費やすことなく、処理の効率を高めることができる。
【００２２】
実施の形態２．
図３は本発明の実施の形態２に係る設備管理装置における画面表示に係る構成を表す図である。図３において、図１と同じ番号を付している手段等については、実施の形態１で説明したことと同様の動作を行う。本実施の形態の設備管理装置は、画面遷移データ記憶手段６の代わりに操作履歴データ記憶手段１０を備えている。本実施の形態では、制御手段１は、予測処理を行う際、画面遷移データの代わりに操作履歴データに基づいて行うようにする。
【００２３】
例えば、遷移する画面はあらかじめ定められているが、操作履歴はさらに使用者による画面遷移の傾向を表している。例えば、１画面における操作の選択肢が多い場合には、画面が遷移する範囲が広くなり、必要と考えられるフォント、画像が多くなってしまう可能性がある。このような場合に、処理用データ記憶手段４の記憶容量が少ない（フォント、画像の表示用データ生成等に割りあてることができる記憶容量が少ない場合も含む）と、カバーしきれない。
【００２４】
そこで、制御手段１は、操作履歴データから操作の傾向に基づく予測処理を行うことにより、必要と考えられるフォント、画像の予測の確度を高くすることにより、処理用データ記憶手段４の記憶容量の少なさを補完する。
【００２５】
以上のように実施の形態２の設備管理装置によれば、制御手段１が操作履歴データに基づいて予測処理を行うことにより、必要となる画像、フォントを決定して、そのフォント、画像に係る圧縮データをフォント伸張・展開手段３Ａ、画像伸張手段３Ｂに生成処理させるようにしたので、遷移先の画面の予測を高精度に行うことができ、その画面で必要となる画像、フォントの決定を精度高く行うことができ、処理時間の遅れを補完することができる。操作履歴データにより操作の傾向がわかるため、特に１画面における操作の選択肢が多い場合、処理用データ記憶手段４の記憶容量が少ない場合等において、遷移する画面の見当をつけることができる。したがって、記憶容量の削減にさらに寄与することができる。ここで、本実施の形態では、画面遷移データの代わりに操作履歴データに基づいて予測処理を行うようにしたが、画面遷移データと操作履歴データとを両方利用して予測処理を行うようにしてもよい。
【００２６】
実施の形態３．
図４は本発明の実施の形態３に係る設備管理装置と組み合わせる設備管理支援装置の構成を表す図である。設備管理支援装置は、設備管理装置と通信接続することができ、圧縮データ等、設備管理装置が動作を行うために必要なデータの生成、データを含む信号の送受信等を行う装置である。
【００２７】
図４において、支援側制御手段２１は設備管理支援装置の各手段を制御する手段である。本実施の形態では、特にフォント、画像に係るデータの圧縮、伸張等に係る制御を行う。サブセット生成手段２５は、設備管理装置に必要なフォント、画像等の圧縮フォントデータ、圧縮画像データ（サブセット）を圧縮処理して圧縮データを生成する。支援側圧縮データ記憶手段２２は、設備管理装置に記憶させるためにサブセット生成手段２５が処理を行って生成した圧縮データ等を記憶する手段であり、支援側圧縮フォントデータ記憶手段２２Ａ、圧縮画像データ記憶手段２２Ｂからなる。
【００２８】
また、本実施の形態の設備管理支援装置は、設備管理装置と同様に、支援側フォント伸張・展開手段２３Ａと支援側画像伸張手段２３Ｂからなる支援側表示用データ生成手段２３を有している。支援側フォント伸張・展開手段２３Ａは、圧縮フォントデータに対して伸張処理、展開処理を行って、表示用フォントデータを生成する。また、支援側画像伸張手段２３Ｂは、圧縮画像データに伸張処理を行って、表示用データを生成する。支援側表示用データ記憶手段２４は表示用データを一時的に記憶する。データ設定・取得手段２６は、管理設備装置にデータを設定記憶させ、また、場合によっては、管理設備装置が有するデータを取得するために、管理設備装置との間で各種データを含む信号の送受信を行う。
【００２９】
本実施の形態の設備管理支援装置は、サブセット生成手段２５が処理を行って圧縮データを生成する。ここで、例えばフォントの場合、表示に必要のないものを含めると、支援側圧縮フォントデータ記憶手段２２Ａの記憶量が無駄に増えることになる。そこで、例えばサブセット生成手段２５においては、必要なフォントについて圧縮処理を行って圧縮フォントデータを生成するようにする。
【００３０】
また、本実施の形態の設備管理支援装置についても、フォント伸張・展開手段２３Ａ、画像伸張手段２３Ｂを有し、表示用データを生成できるようにする。そして、必要に応じて、設備管理支援装置側で生成した表示用データを、設備管理装置の処理用データ記憶手段４に記憶させるようにする。これにより、設備管理装置における伸張処理等に係る負荷を減らすことができる。
【００３１】
また、設備管理支援装置は、設備管理装置が稼働している場合においても、通信接続し、上記の動作を行うことができる。また、設備管理装置に指示し、送信にかかる圧縮データ記憶手段２が記憶する圧縮データ、処理用データ記憶手段４が記憶する表示用データに基づいて処理を行うことができる。
【００３２】
実施の形態４．
上述の実施の形態１では、フォント伸張・展開手段３Ａ、画像伸張手段３Ｂが、圧縮データ記憶手段２の圧縮フォントデータ記憶手段２Ａが記憶した圧縮フォントデータ、圧縮画像データ記憶手段２Ｂが記憶した圧縮画像データを処理するようにした。フォント、画像の両方を圧縮した圧縮データを記憶し、伸張処理等を行えば効果が高いが、本発明は両方同時に行うことに限定するものではなく、フォント、画像のどちらか一方に対して圧縮データを記憶して処理を行うようにしてもよい。また、圧縮フォントデータにおける記憶、処理等の単位については、特に限定するものではないが、表示させる文字列を単位とするようにしてもよい。
【００３３】
実施の形態５．
上述の実施の形態では、表示用データの記憶のために確保する記憶容量を特に定めず、他の処理に係るデータを記憶する場合でも、できる限り最大の記憶容量分の表示用データを記憶させるものとした。本発明では、これに限定することなく、例えばあらかじめ表示用データの記憶のための記憶容量を決めておくようにしてもよい。
【００３４】
また、制御手段１は、他の手段に対する処理も行っている。そのため、例えば記憶容量、処理速度の向上量との関係を指標等として表しておく。そして、例えば、制御手段１が、装置全体として速度向上をはかるための表示用データの記憶のための記憶容量を、指標に基づいて適宜決定する。そして、決定した記憶容量により、表示用データを処理用データ記憶手段４に記憶させるようにしてもよい。
【００３５】
例えば、処理用データ記憶手段４の全記憶容量をＭとする。そして、表示用データの記憶のために確保する記憶容量をｘとする。また、表示用データの記憶容量ｔに対する、装置における文字等の表示に係る処理の速度向上量を関数ｆ（ｔ）とし、他の処理に関するデータの記憶容量ｓに対する処理の速度向上量を関数ｇ（ｓ）とする。他の処理は１つとは限らず、表示に係る処理を含めて３以上の処理を時分割して実行している場合もある。各処理の記憶容量に対する速度向上量を関数として表すこともできるが、ここでは、記憶容量ｓ、関数ｇ（ｓ）は、２以上の他の処理を総合して表した記憶容量、関数とする。また、行われる処理のうち、表示に係る処理を行う時間の割合をＡとする。このとき、次式（１）で示す関数ｈ（ｘ）の値を最大にするような記憶容量ｘを決定し、表示用データを記憶させるようにする。
ｈ（ｘ）＝Ａ・ｆ（ｘ）＋（１−Ａ）・ｇ（Ｍ−ｘ）                  …（１）
【図面の簡単な説明】
【００３６】
【図１】実施の形態１に係る設備管理装置における画面表示に係る構成を表す図である。
【図２】制御手段１の処理に係るフローチャートを表す図である。
【図３】実施の形態２に係る設備管理装置における画面表示に係る構成を表す図である。
【図４】実施の形態３に係る設備管理支援装置の構成を表す図である。
【符号の説明】
【００３７】
１  制御手段、２  圧縮データ記憶手段、２Ａ  圧縮フォントデータ記憶手段、２Ｂ  圧縮画像データ記憶手段、３  表示用データ生成手段、３Ａ  フォント伸張・展開手段、３Ｂ  画像伸張手段、４  処理用データ記憶手段、５  表示手段、６  画面遷移データ記憶手段、７  表示処理手段、８  取扱手段、９  入力手段、１０  操作履歴データ記憶手段、２１  支援側制御手段、２２  支援側圧縮データ記憶手段、２３  支援側表示用データ生成手段、２３Ａ  支援側フォント伸張・展開手段、２３Ｂ  支援側画像伸張手段、２４  支援側表示用データ記憶手段、２５  サブセット生成手段、２６  データ設定・取得手段。
【図１】
2010113156.tif 000003
【図２】
2010113156.tif 000004
【図３】
2010113156.tif 000005
【図４】
2010113156.tif 000006